(57)【要約】【課題】電気接続箱に収容したヒュージブルリンクの溶断の有無をケース外から確認できる構造とする。【解決手段】入力端子部２１と複数の出力端子部２２との間に細幅部とした複数のヒュージブルリンク部２３を並列状態で一体的に形成したバスバー２０をケース１１内に収容し、複数の並列したヒュージブルリンク部２３を垂直方向としてケース１１の側壁１１ａに沿って配置し、ヒュージブルリンク部２３と対向する側壁１１ａに開口１５を設け、この開口１５を検査用の蓋３０でカバーし、この蓋３０を開けてヒュージブルリンク部２３の溶断を確認できる構成とする。【選択図】  図２
2004215422.tif 000002
【特許請求の範囲】
【請求項１】
導電性金属板を打抜加工したバスバーに、入力端子部と、複数の出力端子部と、上記入力端子部と複数の出力端子部との間に細幅部とした複数のヒュージブルリンク部を並列状態で一体的に形成しており、
上記バスバーをケース内部に収容し、上記複数の並列したヒュージブルリンク部を垂直方向として上記ケースあるいは該ケースに被せるカバーの側壁に沿って配置し、上記ヒュージブルリンク部と対向する上記ケースあるいはカバーの側壁に開口を設け、該開口を検査用の蓋でカバーし、該蓋を開けてヒュージブルリンク部の溶断を確認できる構成としていることを特徴とする電気接続箱。
【請求項２】
上記蓋は上記ケースあるいはカバーと別体としてスライド自在に取り付け、該蓋を上下にスライドさせて上記開口を開閉する構成としている請求項１に記載の電気接続箱。
【請求項３】
上記開口の周縁に薄肉ヒンジを介して蓋をケースあるいはカバーと一体に設けている請求項１に記載の電気接続箱。
【発明の詳細な説明】
【０００１】
【発明が属する技術分野】
本発明は電気接続箱に関し、特に、導電性金属板の一部に細幅部を設けてヒュージブルリンク部を一体的に形成したバスバーを収容した電気接続箱において、ヒュージブルリンク部の溶断の有無を外部から容易に確認できるようにするものである。
【０００２】
【従来の技術】
自動車に搭載される電気接続箱には、図７に示すように、１枚のバスバー１を打抜加工して、バッテリーに接続される入力端子１ａと多数の出力端子１ｂとの間に複数の細幅部として一体的に形成したヒューズ部１ｃを設け、このバスバー１を電気接続箱に収容している場合がある。
【０００３】
【特許文献１】
特開２００２−５２４３２号公報
【０００４】
【発明が解決しようとする課題】
上記構成のバスバー一体型とした場合、ヒューズ部１ｃの溶断を確認する際に電気接続箱のボックスからバスバー１を取り出す必要がある。そのため、手間がかかり、特に極数が多い場合は高い離脱力を要し、作業性が悪い点に問題がある。また、取り外しの際に出力端子１ｂや相手端子の変形が起こるおそれもある。
【０００５】
本発明は上記問題に鑑みてなされたもので、バスバー一体型のヒューズ部、特に、大電流用のヒュージブルリンクの溶断の確認を外部から容易に確認できる電気接続箱の提供を課題としている。
【０００６】
【課題を解決するための手段】
上記課題を解決するために、本発明は、導電性金属板を打抜加工したバスバーに、入力端子部と、複数の出力端子部と、上記入力端子部と複数の出力端子部との間に細幅部とした複数のヒュージブルリンク部を並列状態で一体的に形成しており、
上記バスバーをケース内部に収容し、上記複数の並列したヒュージブルリンク部を垂直方向として上記ケースあるいは該ケースに被せるカバーの側壁に沿って配置し、上記ヒュージブルリンク部と対向する上記ケースあるいはカバーの側壁に開口を設け、該開口を検査用の蓋でカバーし、該蓋を開けてヒュージブルリンク部の溶断を確認できる構成としていることを特徴とする電気接続箱を提供している。
【０００７】
このように、ヒュージブルリンク部の配置箇所をケースあるいはカバーの側壁に沿った位置として垂直方向に配置すると、該ケースあるいはカバーの側壁に開口を設けることにより、該開口を通じて外部から容易にケース内のヒュージブルリンク部の溶断有無を確認できる。従って、溶断確認のたびにヒュージブルリンクをケースから取り外す作業が不要となり、検査作業の時間も手間も軽減できると共に、取り外し作業に起因する端子の変形を防止して品質向上を図ることができる。
【０００８】
上記蓋は上記ケースあるいはカバーと別体としてスライド自在に取り付け、該蓋を上下にスライドさせて開口を開閉する構成としている。このようにスライド式の蓋を取り付けることにより、開口開閉に要するスペースを極小化できるため、限られた車両内スペースの有効利用を図ることができる。
【０００９】
上記開口の周縁に薄肉ヒンジを介して蓋をケースあるいはカバーと一体に設けてもよい。この場合、蓋の開閉軌道分のスペースが必要となるが、蓋をケースあるいはカバーと一体形成することによりコストダウンを図ることができる。
【００１０】
【発明の実施の形態】
以下、本発明の実施形態を図面を参照して説明する。
図１乃至図５は本発明の第１実施形態に係る電気接続箱１０を示し、この電気接続箱１０は、ケース１１内に内部回路を構成するバスバー２０を収容し、その上面開口にアッパーカバー１２を被せ、下面にロアカバー２４を被せ、ケース１１の係止爪１３をアッパーカバー１２の被係止部１４に係止してロックする構成としている。
【００１１】
上記ケース１１内に収容するバスバー２０に、図３に示すように１枚の導電性金属板を打抜加工して入力端子部２１と複数の出力端子部２２と、Ｓ字状の細幅部からなる複数のヒュージブルリンク部２３を並設して一体的に形成している。該バスバー２０は図１に示すように折り曲げ加工して、電気接続箱１０のケース１１内に垂直方向で挿入係止している。
【００１２】
上記バスバー２０は図４に示すように、ケース１１の一側壁１１ａに沿ってヒュージブルリンク部２３を配置している。上記入力端子部２１は電源側と接続された電線端末の端子（図示せず）と接続し、複数の出力端子部２２は電気接続箱１０に搭載するヒューズ、リレー、ワイヤハーネス端末に接続したコネクタの端子と接続している。
【００１３】
上記ケース１１の一側壁１１ａには、ヒュージブルリンク部２３と対向する位置に図４に示すように開口１５を設け、別体の蓋３０で該開口１５を開閉自在にカバーしている。上記開口１５の上辺と左右辺には図５（Ａ）（Ｂ）に示すように、スライド溝１６ａ、１６ｂ、１６ｃを凹設している。また、開口１５の上側壁の外面には、一対の係止爪１７を突設している。
【００１４】
一方、上記蓋３０の上辺と左右辺には、上記スライド溝１６ａ、１６ｂ、１６ｃに摺動自在に嵌合する鍔状のガイド凸部３０ａ、３０ｂ、３０ｃを設けていると共に、上記係止爪１７と対応する位置に一対の被係止枠３２を形成している。これにより、蓋３０は両側のガイド凸部３０ｂ、３０ｃをスライド溝１６ｂ、１６ｃに下向きに摺動して開口１５を開き、この状態から上向きに摺動して上辺のガイド凸部３０ａを上辺のスライド溝１６ａに嵌合した状態で開口１５を閉鎖し、閉鎖時には蓋３０の被係止枠３２を側壁１１ａから突設した係止爪１７に係止してロックしている。
【００１５】
上記構成の電気接続箱１０では、通常は蓋３０で開口１５を閉鎖しておき、内部に収容しているヒュージブルリンク部２３の溶断有無を確認する際には、該蓋３０を下方へスライドさせることにより、開口１５を通じて外部からヒュージブルリンク部２３を容易に溶断の有無を確認できる。従って、溶断の有無の確認のためにバスバー２０をケース１１から取り外す作業が不要となり作業性が高まると共に、バスバー２０の取り出し時に出力端子部が変形するのも防止することができる。また、蓋３０がスライド式に開閉するため、該蓋３０の開閉に要するスペースも極小化でき、限られた車内空間においてスペースの有効利用を図ることができる。
【００１６】
図６（Ａ）（Ｂ）（Ｃ）は本発明の第２実施形態に係る電気接続箱１０を示す。
上記第１実施形態と同様、電気接続箱１０のケース１１およびロアカバー２４の側壁に沿った位置にバスバー２０を垂直方向に嵌合収容している。該バスバー２０に並設されたヒュージブルリンク部２３はロアカバー２４の側壁に沿って配置している。
【００１７】
上記ロアカバー２４の側壁には、ヒュージブルリンク部２３と対向する位置に開口１５’を設け、該開口１５’の下周縁には薄肉ヒンジ４１を介して蓋４０をロアカバー２４と一体に設けている。また、図６（Ｂ）に示すように、開口１５’の周縁の上辺には一対の切欠１５ａ’を設けていると共に、該切欠１５ａ’の外側角部には図６（Ｃ）に示すように拾い込み用のテーパー部１５ｂ’を備える一方、蓋４０の上端側には切欠１５ａ’に対応して係止爪４２ａを有する可撓片４２を立設し、該蓋４０の閉鎖時は、図６（Ｃ）に示すように、ロアカバー２４の切欠１５ａ’に蓋４０の係止爪４２ａを係止してロックする構成としている。
【００１８】
本実施形態においても、電気接続箱１０内のヒュージブルリンク部２３の溶断有無をロアカバー２４の開口１５’を通じて外部から容易に確認できる。また、ヒンジ４１を介して開閉する蓋４０はロアカバー２４と一体形成しているため、コストダウンを図ることができる。
【００１９】
【発明の効果】
以上の説明より明らかなように、本発明によれば、バスバーと一体的に設けたヒュージブルリンク部を収容する位置を電気接続箱のケースあるいはカバーの側壁に沿った位置とし、該ヒュージブルリンクと対向する位置の側壁に開口を設け、該開口を蓋で開閉できる構成としているため、内部のヒュージブルリンク部の溶断有無は、蓋を開いて開口を通して外部から容易に確認することができる。従って、従来のように、ヒュージブルリンク部の溶断を確認するためにバスバーをケースから取り外す作業が不要となり、作業性が高まると共に、取り外し作業に起因する端子変形も防止でき、品質向上を図ることができる。
【００２０】
また、上記蓋をスライド式とすることにより、該蓋の開閉に要するスペースを極小化できる。一方、該蓋をケースあるいはカバーと一体成形してヒンジを介して開閉する構成とすると、コスト安とすることができる。
【図面の簡単な説明】
【図１】本発明の第１実施形態に係る電気接続箱を示す分解斜視図である。
【図２】図１に示す電気接続箱の蓋の開閉状態を示し、（Ａ）が閉鎖状態を示す斜視図であり、（Ｂ）が開口状態を示す斜視図である。
【図３】ヒュージブルリンク部を一体形成したバスバーの正面図である。
【図４】バスバーを電気接続箱内のケースの側壁に沿って収容している状態を示す概略側面図である。
【図５】図１に示す電気接続箱の蓋の開閉構造を示し、（Ａ）が要部斜視図であり、（Ｂ）が開閉構造を示す要部断面図である。
【図６】本発明の第２実施形態に係る電気接続箱を示し、（Ａ）が閉鎖状態を示す斜視図であり、（Ｂ）が開口状態を示す要部斜視図、（Ｃ）が閉鎖状態の要部断面図である。
【図７】従来例を示す図面である。
【符号の説明】
１０  電気接続箱
１１  ケース
１２  アッパーカバー
１５、１５’  開口
１６ａ、１６ｂ、１６ｃ  スライド溝
２０  バスバー
２３  ヒュージブルリンク部
３０、４０  蓋
４１  薄肉ヒンジ
【図１】
2004215422.tif 000003
【図２】
2004215422.tif 000004
【図３】
2004215422.tif 000005
【図４】
2004215422.tif 000006
【図５】
2004215422.tif 000007
【図６】
2004215422.tif 000008
【図７】
2004215422.tif 000009